(57)【要約】【課題】印刷機の連続運転が中断されるおそれを抑制すること。【解決手段】印刷機は、被記録媒体に印刷を施す第１印刷ジョブＪＢ１１と、第１印刷ジョブＪＢ１１とは別の印刷ジョブであって、第１印刷ジョブＪＢ１１の完了時期ｔ０４よりも後に被記録媒体に印刷を施す第２印刷ジョブＪＢ１２と、を少なくとも含む複数のジョブをあらかじめ設定された順序で連続して実行可能な印刷機であって、印刷機は、一時待機開始信号及び一時待機終了信号を発信する一時待機信号生成手段を備え、一時待機開始信号が入力された入力時期以前のジョブが完了するまで入力時期以前のジョブを継続して実行すると共に、一時待機終了信号が入力されるまで、入力時期の直後のジョブを開始せずに待機する。【選択図】        図２
2010082951.tif 000002
【特許請求の範囲】
【請求項１】
被記録媒体に印刷を施す第１印刷ジョブと、
前記第１印刷ジョブとは別の印刷ジョブであって、前記第１印刷ジョブの完了時期よりも後に前記被記録媒体に印刷を施す第２印刷ジョブと、
を少なくとも含む複数のジョブをあらかじめ設定された順序で連続して実行可能な印刷機であって、
前記印刷機は、一時待機開始信号及び一時待機終了信号を発信する一時待機信号生成手段を備え、
前記一時待機開始信号が入力された入力時期以前の前記ジョブが完了するまで前記入力時期以前の前記ジョブを継続して実行すると共に、前記一時待機終了信号が入力されるまで、前記入力時期の直後の前記ジョブを開始せずに待機することを特徴とする印刷機。
【請求項２】
前記複数のジョブには、前記印刷に用いられる刷版を交換する版替ジョブが含まれ、
前記版替ジョブは、前記第１印刷ジョブの前記完了時期と前記第２印刷ジョブの開始時期との間に実行されるようにあらかじめ設定されることを特徴とする請求項１に記載の印刷機。
【請求項３】
前記複数のジョブには、前記被記録媒体の走行経路を変更する紙通ジョブが含まれ、
前記紙通ジョブは、前記第１印刷ジョブの前記完了時期と前記第２印刷ジョブの開始時期との間に実行されるようにあらかじめ設定されることを特徴とする請求項１または請求項２に記載の印刷機。
【請求項４】
前記被記録媒体に前記印刷を施す印刷装置と、
前記印刷装置内に配置されるブランケット胴と、を備え、
前記複数のジョブには、前記ブランケット胴を洗浄する洗浄ジョブが含まれ、
前記洗浄ジョブは、前記第１印刷ジョブの前記完了時期と前記第２印刷ジョブの開始時期との間に実行されるようにあらかじめ設定されることを特徴とする請求項１から請求項３のいずれか一項に記載の印刷機。
【請求項５】
前記被記録媒体に前記印刷を施す印刷装置と、
前記印刷装置内に配置されるブランケット胴と、を備え、
前記複数のジョブには、前記ブランケット胴に供給するインキの量を調節するインキプリセットジョブが含まれ、
前記インキプリセットジョブは、前記第１印刷ジョブの前記完了時期と前記第２印刷ジョブの開始時期との間に実行されるようにあらかじめ設定されることを特徴とする請求項１から請求項４のいずれか一項に記載の印刷機。
【請求項６】
前記一時待機信号生成手段はスイッチであり、
前記スイッチは、前記スイッチの操作部が操作されると前記一時待機開始信号を発信し、再度前記操作部が操作されると、前記一時待機終了信号を発信することを特徴とする請求項１から請求項５のいずれか一項に記載の印刷機。
【請求項７】
前記一時待機信号生成手段は、前記印刷に用いられる刷版を交換する版交換装置が前記刷版を交換する際に前記一時待機開始信号を発信し、前記刷版の交換が終了すると前記一時待機終了信号を発信することを特徴とする請求項１から請求項６のいずれか一項に記載の印刷機。
【請求項８】
前記一時待機信号生成手段は、第１の一時待機信号生成手段と、第２の一時待機信号生成手段とを含んで構成され、
前記第１の一時待機信号生成手段はスイッチであり、前記スイッチは、前記スイッチの操作部が操作されると前記一時待機開始信号を発信し、再度前記操作部が操作されると、前記一時待機終了信号を発信し、
前記第２の一時待機信号生成手段は、前記印刷に用いられる刷版を交換する版交換装置が前記刷版を交換する際に前記一時待機開始信号を発信し、前記刷版の交換が終了すると前記一時待機終了信号を発信することを特徴とする請求項１から請求項５のいずれか一項に記載の印刷機。
【請求項９】
第１ジョブと、前記第１ジョブの後に開始される予定の第２ジョブとがあらかじめ設定され、
前記第１ジョブ及び前記第２ジョブとは別の割込みジョブが、前記第２ジョブの開始以前に設定されると、
前記第１ジョブが完了した後に前記割込みジョブを開始し、
前記割込みジョブが完了した後に前記第２ジョブを開始することを特徴とする請求項１から請求項８のいずれか一項に記載の印刷機。
【発明の詳細な説明】
【技術分野】
【０００１】
本発明は、複数のジョブをあらかじめ設定された順序で連続して実行する印刷機に関するものである。
【背景技術】
【０００２】
印刷機による印刷作業は、刷版を交換する版替えや、ブランケット胴の洗浄や、折機での紙通しなどの複数のジョブを含んで構成される。一般的な印刷機は、オペレータによってこれらのジョブが切り替えられる。このような印刷機の場合、オペレータによるジョブの切り替え作業を必要とするため、総合的な作業時間が増大するおそれがある。
【０００３】
そこで、例えば、特許文献１には、１つのスイッチを押すことにより、前のジョブから次のジョブヘの切替えが自動的に行われるように、各装置を連続的に動作させるオフセット輪転機が開示されている。
【０００４】
【特許文献１】特開２００７−２４５７３１号公報、段落番号００１２
【発明の開示】
【発明が解決しようとする課題】
【０００５】
ここで、印刷機が実行するジョブの中には、作業員の手作業を必要とするジョブが含まれることがある。例えば、作業員が手作業によって折機での紙通しを行う場合、紙通しが完了するまでの時間は、作業内容やオペレータによって異なる。
【０００６】
しかしながら、特許文献１に開示されている技術では、前のジョブと次のジョブとを自動で切り替えるため、あらかじめ設定された時間内でこれらの手作業によるジョブを完了させる必要がある。仮に、あらかじめ設定された時間内でジョブを完了できなかった場合、特許文献１に開示されている技術では、印刷機の連続運転を中断せざるを得ないおそれがある。
【０００７】
本発明は、上記に鑑みてなされたものであって、印刷機の連続運転が中断されるおそれを抑制することを目的とする。
【課題を解決するための手段】
【０００８】
上述した課題を解決し、目的を達成するために、本発明に係る印刷機は、被記録媒体に印刷を施す第１印刷ジョブと、前記第１印刷ジョブとは別の印刷ジョブであって、前記第１印刷ジョブの完了時期よりも後に前記被記録媒体に印刷を施す第２印刷ジョブと、を少なくとも含む複数のジョブをあらかじめ設定された順序で連続して実行可能な印刷機であって、前記印刷機は、一時待機開始信号及び一時待機終了信号を発信する一時待機信号生成手段を備え、前記一時待機開始信号が入力された入力時期以前の前記ジョブが完了するまで前記入力時期以前の前記ジョブを継続して実行すると共に、前記一時待機終了信号が入力されるまで、前記入力時期の直後の前記ジョブを開始せずに待機することを特徴とする。
【０００９】
上記構成により、印刷機は、一時待機開始信号が入力された入力時期以前のジョブが完了するまで前記ジョブを継続する。また、印刷機は、一時待機終了信号が入力されるまで、入力時期以降のジョブを開始せずに待機する。そして、一時待機終了信号が入力されると、印刷機は、次のジョブを開始する。
【００１０】
上記構成により、あらかじめ設定された時期までに現在実行中のジョブの作業を完了できない場合、例えば、オペレータが一時待機信号生成手段を操作して、一時待機開始信号を発信させる。これにより、印刷機は次のジョブを開始しない。さらに、現在実行中の作業が完了し、一時待機終了信号が入力されると、印刷機は、次のジョブを開始する。このように、印刷機は、現在実行中の作業が完了する前に次のジョブが始まるおそれを抑制できる。これにより、印刷機は、連続運転が中断されずに連続運転を継続できる。
【００１１】
本発明の好ましい態様としては、前記複数のジョブには、前記印刷に用いられる刷版を交換する版替ジョブが含まれ、前記版替ジョブは、前記第１印刷ジョブの前記完了時期と前記第２印刷ジョブの開始時期との間に実行されるようにあらかじめ設定されることが望ましい。
【００１２】
上記構成により、印刷機は、版替ジョブ以前に一時待機開始信号が入力された場合、版替ジョブを開始せずに待機する。これにより、印刷機は、あらかじめ設定された時期までに現在実行中のジョブの作業を完了できない場合であっても、次のジョブである版替ジョブを開始せずに一時的に待機する。
【００１３】
また、版替ジョブ中に一時待機開始信号が入力された場合、印刷機は、版替ジョブ以降のジョブを開始せずに一時的に待機する。よって、印刷機は、現在実行中の作業が完了する前に次のジョブが始まるおそれを抑制できる。これにより、印刷機は、連続運転が中断されずに連続運転を継続できる。
【００１４】
本発明の好ましい態様としては、前記複数のジョブには、前記被記録媒体の走行経路を変更する紙通ジョブが含まれ、前記紙通ジョブは、前記第１印刷ジョブの前記完了時期と前記第２印刷ジョブの開始時期との間に実行されるようにあらかじめ設定されることが望ましい。
【００１５】
上記構成により、印刷機は、紙通ジョブ以前に一時待機開始信号が入力された場合、紙通ジョブを開始せずに待機する。これにより、印刷機は、あらかじめ設定された時期までに現在実行中のジョブの作業を完了できない場合であっても、次のジョブである紙通ジョブを開始せずに一時的に待機する。
【００１６】
また、紙通ジョブ中に一時待機開始信号が入力された場合、印刷機は、紙通ジョブ以降のジョブを開始せずに一時的に待機する。よって、印刷機は、現在実行中の作業が完了する前に次のジョブが始まるおそれを抑制できる。これにより、印刷機は、連続運転が中断されずに連続運転を継続できる。
【００１７】
本発明の好ましい態様としては、前記被記録媒体に前記印刷を施す印刷装置と、前記印刷装置内に配置されるブランケット胴と、を備え、前記複数のジョブには、前記ブランケット胴を洗浄する洗浄ジョブが含まれ、前記洗浄ジョブは、前記第１印刷ジョブの前記完了時期と前記第２印刷ジョブの開始時期との間に実行されるようにあらかじめ設定されることが望ましい。
【００１８】
上記構成により、印刷機は、洗浄ジョブ以前に一時待機開始信号が入力された場合、洗浄ジョブを開始せずに待機する。これにより、印刷機は、あらかじめ設定された時期までに現在実行中のジョブの作業を完了できない場合であっても、次のジョブである洗浄ジョブを開始せずに一時的に待機する。
【００１９】
また、洗浄ジョブ中に一時待機開始信号が入力された場合、印刷機は、洗浄ジョブ以降のジョブを開始せずに一時的に待機する。よって、印刷機は、現在実行中の作業が完了する前に次のジョブが始まるおそれを抑制できる。これにより、印刷機は、連続運転が中断されずに連続運転を継続できる。
【００２０】
本発明の好ましい態様としては、前記被記録媒体に前記印刷を施す印刷装置と、前記印刷装置内に配置されるブランケット胴と、を備え、前記複数のジョブには、前記ブランケット胴に供給するインキの量を調節するインキプリセットジョブが含まれ、前記インキプリセットジョブは、前記第１印刷ジョブの前記完了時期と前記第２印刷ジョブの開始時期との間に実行されるようにあらかじめ設定されることが望ましい。
【００２１】
上記構成により、印刷機は、洗浄ジョブ以前に一時待機開始信号が入力された場合、インキプリセットジョブを開始せずに待機する。これにより、印刷機は、あらかじめ設定された時期までに現在実行中のジョブの作業を完了できない場合であっても、次のジョブであるインキプリセットジョブを開始せずに一時的に待機する。
【００２２】
また、インキプリセットジョブ中に一時待機開始信号が入力された場合、印刷機は、インキプリセットジョブ以降のジョブを開始せずに一時的に待機する。よって、印刷機は、現在実行中の作業が完了する前に次のジョブが始まるおそれを抑制できる。これにより、印刷機は、連続運転が中断されずに連続運転を継続できる。
【００２３】
本発明の好ましい態様としては、前記一時待機信号生成手段はスイッチであり、前記スイッチは、前記スイッチの操作部が操作されると前記一時待機開始信号を発信し、再度前記操作部が操作されると、前記一時待機終了信号を発信することが望ましい。
【００２４】
上記構成により、印刷機は、オペレータのスイッチ操作によって一時待機開始信号及び一時待機終了信号が発信される。オペレータは、例えば、現在実行中の作業が、あらかじめ設定された時期までに完了しないおそれがある場合に、前記スイッチの操作部を操作する。
【００２５】
すると、一時待機信号生成手段は、一時待機開始信号を発信する。これにより、印刷機は、次のジョブを開始せずに現在のジョブが完了するまで待機する。よって、印刷機は、現在実行中の作業が完了する前に次のジョブが始まるおそれを抑制できる。これにより、印刷機は、連続運転が中断されずに連続運転を継続できる。
【００２６】
本発明の好ましい態様としては、前記一時待機信号生成手段は、前記印刷に用いられる刷版を交換する版交換装置が前記刷版を交換する際に前記一時待機開始信号を発信し、前記刷版の交換が終了すると前記一時待機終了信号を発信することが望ましい。
【００２７】
上記構成により、印刷機は、版交換装置が刷版を交換中、一時待機開始信号が発信される。これにより、印刷機は、版替ジョブが完了するまで、次のジョブを開始しない。よって、印刷機は、版替ジョブが完了する前に次のジョブが始まるおそれを抑制できる。これにより、印刷機は、連続運転が中断されずに連続運転を継続できる。
【００２８】
本発明の好ましい態様としては、前記一時待機信号生成手段は、第１の一時待機信号生成手段と、第２の一時待機信号生成手段とを含んで構成され、前記第１の一時待機信号生成手段はスイッチであり、前記スイッチは、前記スイッチの操作部が操作されると前記一時待機開始信号を発信し、再度前記操作部が操作されると、前記一時待機終了信号を発信し、前記第２の一時待機信号生成手段は、前記印刷に用いられる刷版を交換する版交換装置が前記刷版を交換する際に前記一時待機開始信号を発信し、前記刷版の交換が終了すると前記一時待機終了信号を発信することが望ましい。
【００２９】
上記構成により、印刷機は、刷版の交換中は、一時待機開始信号が自動で発信される。さらに、印刷機は、例えば、オペレータが一時待機信号生成手段を操作することで、オペレータの所望する時期に一時待機開始信号を発信することもできる。
【００３０】
本発明の好ましい態様としては、第１ジョブと、前記第１ジョブの後に開始される予定の第２ジョブとがあらかじめ設定され、前記第１ジョブ及び前記第２ジョブとは別の割込みジョブが、前記第２ジョブの開始以前に設定されると、前記第１ジョブが完了した後に前記割込みジョブを開始し、前記割込みジョブが完了した後に前記第２ジョブを開始することが望ましい。
【００３１】
上記構成により、割込みジョブが新たに設定された場合であっても、割込みジョブ完了後、印刷機は、割込みジョブが設定されない場合に次に実行する予定だったジョブの直前に復帰して連続運転を再開できる。これにより、印刷機は、連続運転が中断されるおそれを抑制できる。
【発明の効果】
【００３２】
本発明は、印刷機の連続運転が中断されるおそれを抑制できる。
【発明を実施するための最良の形態】
【００３３】
以下、この発明につき図面を参照しつつ詳細に説明する。なお、この発明を実施するための最良の形態（以下実施形態という）によりこの発明が限定されるものではない。また、下記実施形態における構成要素には、当業者が容易に想定できるもの、実質的に同一のもの、いわゆる均等の範囲のものが含まれる。
【００３４】
図１は、印刷機の全体を示す構成図である。まず、図１に示す印刷機２００の基本構成を説明する。ここで、以下、印刷機２００を輪転印刷機として説明するが、印刷機２００は、輪転印刷機に限定されず、例えば、枚葉印刷機でもよい。
【００３５】
印刷機２００は、被記録媒体としてのウェブＷの走行方向に沿って順に、給紙装置２１０と、インフィード装置２２０と、印刷装置２３０と、乾燥装置２４０と、冷却装置２５０と、ウェブパス装置２６０と、折機２７０と、排紙コンベア２８０とを含んで構成される。
【００３６】
給紙装置２１０は、ウェブＷがロール状に巻き取られている巻取体Ｒ１が装着される。給紙装置２１０は、この巻取体Ｒ１からウェブＷを引き出されて、ウェブＷの流れの下流側の各装置にウェブＷを供給する。
【００３７】
また、給紙装置２１０は、紙継装置２１１を備える。紙継装置２１１は、回動可能な支持体２１２の一方の端部に巻取体Ｒ１が回転可能に装着され、他方の端部に巻取体Ｒ１とは別の巻取体Ｒ２が回転可能に装着される。紙継装置２１１は、現在、巻取体Ｒ１から引き出されて走行するウェブＷを、巻取体Ｒ２の側周部に押し当てて紙継ぎをする。これにより、印刷機２００は、ウェブＷの走行を中断することなく紙継ぎする。
【００３８】
インフィード装置２２０は、ウェブＷを給紙装置２１０から印刷装置２３０側に供給する。印刷装置２３０は、例えば、４つの印刷ユニット２３１を含んで構成される。印刷ユニット２３１は、それぞれ、藍、紅、黄、墨をウェブＷに印刷する。印刷ユニット２３１は、それぞれ、版交換装置２３２を有する。
【００３９】
ここで、版交換装置２３２の回動テーブル２３２ａ内には、あらかじめ新しい刷版がオペレータによってセットされている。版交換装置２３２は、まず、印刷ユニット２３１の版胴２３３に装着されている刷版を版胴２３３から取り外す。次に、版交換装置２３２のカセット内にセットされている新しい刷版を、印刷ユニット２３１の版胴２３３に導く。このようにして、版交換装置２３２は、刷版を交換する。
【００４０】
乾燥装置２４０は、印刷装置２３０により印刷が施されたウェブＷ上のインキを乾燥させる。冷却装置２５０は、乾燥装置２４０によって暖められたウェブＷを冷却する。ウェブパス装置２６０は、冷却装置２５０によって冷却されたウェブＷを折機２７０まで搬送する。折機２７０は、ウェブＷを折ったり、裁断したりして折丁を形成する。排紙コンベア２８０は、折丁を機外へ搬出する。
【００４１】
印刷機２００は、制御装置２９０を有する。制御装置２９０は、印刷機２００の各装置と電気的に接続されて、前記各装置を制御する。具体的には、制御装置２９０は、例えば、印刷ユニット２３１内の各胴の回転速度を調節したり、所定の時期に版交換装置２３２を制御して版胴２３３に装着する刷版を交換したりする。
【００４２】
次に、上記構成の印刷機２００を用いた印刷の流れを説明する。ウェブＷは、まず、給紙装置２１０からインフィード装置２２０を介して印刷装置２３０に導かれる。印刷装置２３０によって印刷が施されたウェブＷは、乾燥装置２４０によって乾燥され、さらに冷却装置２５０によって冷却される。
【００４３】
冷却装置２５０によって冷却されたウェブＷは、ウェブパス装置２６０を介して折機２７０によって折り畳まれる。折機２７０によって折り畳まれたウェブＷは、折丁となって排紙コンベア２８０によって印刷機２００から排出される。
【００４４】
図２は、印刷機が連続運転する際の動作を示すタイミングチャートである。印刷機２００は、複数のジョブをあらかじめ設定された順序、タイミングで連続して実行する。なお、複数のジョブをあらかじめ設定された順序で実行することを本実施形態では連続運転という。以下、印刷機２００が連続運転する際に実行するジョブを説明する。
【００４５】
図２の縦軸は印刷機２００の運転速度を示し、図２の横軸は時間の経過を示す。ここで、印刷機２００の運転速度とは、例えば、図１に示す印刷装置２３０のブランケット胴２３４の回転速度である。なお、ブランケット胴２３４の回転速度はウェブＷの走行速度と比例するため、印刷機２００の運転速度を、印刷機２００の運転速度として扱ってもよい。
【００４６】
印刷機２００の連続運転に含まれるジョブの中には、必ず含まれるジョブと、必要に応じて含まれるジョブとがある。必ず含まれるジョブは、印刷ジョブである。ここで、印刷機２００は、単数の印刷ジョブのみを実行することもできる。しかしながら、ここでは印刷機２００の連続運転について説明するため、一例として、印刷機２００は、第１印刷ジョブＪＢ１１と、第２印刷ジョブＪＢ１２とを実行するものとして説明する。
【００４７】
印刷機２００は、まず、第１印刷ジョブＪＢ１１を開始するために運転速度が上昇する。この時期が、第１印刷ジョブＪＢ１１の開始時期としての時期ｔ０１である。次に、時期ｔ０２で、印刷機２００は、運転速度が試し刷りのための速度に到達する。時期ｔ０２以降、印刷機２００は、印刷が施されたウェブＷの色合い等を調節するために試し刷りを実行する。なお、オペレータは試し刷りにより、印刷が施されたウェブＷの色合いの調節の他に、折機２７０でのウェブＷの「折」の調節や、ウェブＷの「裁断」の調節、刷り込みの位置あわせとしての「見当」の調節を行う。
【００４８】
ここで、試し刷りが施されたウェブＷの色合い等を印刷機２００のオペレータが確認する。試し刷りが施されたウェブＷの色合いが所望の色合いとなり、「折」や「裁断」、「見当」の調節が完了し、本刷りを開始してもよいとオペレータが判断した場合、時期ｔ０３で本刷りを開始するためのボタンをオペレータが押す。すると、印刷機２００は、運転速度が上昇する。
【００４９】
ここで、オペレータによる作業量の低減を図る場合、印刷機２００は、試し刷りが施されたウェブＷの色合いを監視する色調判断装置を備えると好ましい。この場合、印刷機２００は、試し刷りが施されたウェブＷの色合いが、あらかじめ設定された所望の色合いに達したか否かを色調判断装置が判断する。
【００５０】
この場合、試し刷りが施されたウェブＷの色合いが、あらかじめ設定された所望の色合いに達したと色調判断装置が判断すると、印刷機２００は、自動で本刷りが開始される。これにより、印刷機２００は、オペレータによる作業量が低減される。
【００５１】
また、オペレータによる作業量の低減を図る他の態様として、印刷機２００は、例えば、あらかじめ設定された時間、試し刷りを実行し、時期ｔ０２以降あらかじめ設定された時間が経過すると自動で本刷りが開始される構成でもよい。この場合、印刷機２００は、例えば試し刷りの時間を延長するためのボタンを有する。
【００５２】
前記ボタンが一度押されると、印刷機２００は、試し刷りの時間が所定時間、例えば５分間延長される。この場合、オペレータは、まず本刷りが自動で開始されるよりも前に、試し刷りが施されたウェブＷの色合い等を確認する。次に、オペレータは、試し刷りがさらに必要であると判断した場合のみ、試し刷りの時間を延長する前記ボタンを押す。
【００５３】
つまり、試し刷りが施されたウェブＷの色合いが所望の色合いであると判断し、「折」や「裁断」、「見当」の調節が完了している場合、オペレータは本刷りを開始するための操作をしなくてもよい。これにより、印刷機２００は、オペレータによる作業量の低減を図ることができる。
【００５４】
次に、本刷りについて説明する。本刷りとは、試し刷りによって色合い等が調節された後にウェブＷに施される印刷のことである。本刷りは、正紙と呼ばれる製品用のウェブＷに施される。ここで、一般的に、試し刷りは試し刷り用のウェブＷに施される。試し刷り用のウェブＷとは、例えば、以前の本刷りで用いられて余った中途巻取体に巻き取られているウェブＷである。
【００５５】
時期ｔ０３で、本刷りが開始されると、印刷機２００は、運転速度が本刷り用の速度まで上昇する。印刷機２００は、この間、例えば、図１に示す紙継装置２１１が試し刷り用の巻取体Ｒ１から、本刷り用の巻取体Ｒ２に切り替える。なお、本実施形態では、印刷機２００は、運転速度が上昇中に紙継装置２１１が巻取体を切り替えるが、印刷機２００は、例えば、試し刷り用の速度で紙継装置２１１が巻取体を切り替えてもよいし、試し刷り用よりも遅い速度、いわゆる緩動速度で紙継装置２１１が巻取体を切り替えてもよい。
【００５６】
印刷機２００の運転速度が本刷り用の運転速度に到達し、本刷りが施されている折丁の正紙部数が目標数に到達すると、印刷機２００は、図２に示す時期ｔ０４で運転速度が低下しはじめて本刷りを終了する。ここで、第１印刷ジョブＪＢ１１には、試し刷りと本刷りとが含まれる。つまり、第１印刷ジョブＪＢ１１の期間は、印刷機２００の運転速度が上昇し始める時期ｔ０１から、印刷機２００の運転速度が低下し始める時期ｔ０４までの期間をいう。
【００５７】
次に、印刷機２００は、時期ｔ０４で第１印刷ジョブＪＢ１１が終了してから、時期ｔ０８で第２印刷ジョブＪＢ１２が開始されるまでの間に印刷準備が行われる。印刷準備に含まれるジョブの種類やジョブの数は場合によって異なる。ここでは、印刷準備として、版替ジョブＪＢ２１を例に説明する。
【００５８】
版替ジョブＪＢ２１は、図１に示す版交換装置２３２による刷版の交換作業である。なお、版交換装置２３２は、刷版の交換中に作業員の手作業を必要としない全自動の装置と、刷版の交換中に作業員の手作業を必要とする半自動の装置がある。
【００５９】
全自動の版交換装置２３２の場合、印刷機２００の運転速度が時期ｔ０５で０に達した後、版交換装置２３２は、時期ｔ０６で版胴２３３に装着されている刷版と、あらかじめ版交換装置２３２のカセット内にセットされている新しい刷版とを交換する。刷版の交換中は、版胴２３３が回転するため印刷機２００の運転速度は一時的に上昇する。刷版の交換が完了すると、印刷機２００は、時期ｔ０７で運転速度が０になる。
【００６０】
ここで、版替ジョブＪＢ２１の期間は、時期ｔ０６で印刷機２００の運転速度が上昇しはじめてから、時期ｔ０７で印刷機２００の運転速度が例えば０になるまでの期間である。この期間は、あらかじめオペレータによって交換される刷版の数に基づいて設定されている。つまり、時期ｔ０６は、時期ｔ０５から所定時間経過した時期に設定され、時期ｔ０７は、時期ｔ０６に刷版の交換に必要な時間を加算して設定される。
【００６１】
ここで、全自動の版交換装置２３２の場合、時期ｔ０６から時期ｔ０７までの時間、つまり、刷版の交換に要する時間は、版交換装置２３２によって略一定である。よって、版交換装置２３２が全自動の装置であれば、印刷機２００は、通常、時期ｔ０７までに版交換装置２３２による刷版の交換が完了する。
【００６２】
但し、例えば、新しい刷版が湾曲していたり折れ曲がっていたりして不具合がある場合や、版交換装置２３２に不具合が発生した場合、印刷機２００は、オペレータによってあらかじめ設定された時期ｔ０７までに刷版の交換を完了できない場合がある。オペレータによってあらかじめ設定された時期ｔ０７までに刷版の交換を完了できない場合、印刷機２００は、連続運転が中断されるおそれがある。
【００６３】
なお、版交換装置２３２が半自動の装置の場合も、印刷機２００は、連続運転が中断されるおそれがある。半自動の版交換装置２３２の場合、作業員は、時期ｔ０６で刷版の交換が開始されるよりも前に、版交換装置２３２のカセットに新しい刷版をセットする。時期ｔ０６以降、版交換装置２３２は、時期ｔ０７までの間に刷版を交換する。なお、版交換装置２３２によっては、この間も作業員の手作業を必要とする場合がある。
【００６４】
ここで、半自動の版交換装置２３２の場合、作業員の手作業を必要とするため、オペレータによってあらかじめ設定された時期ｔ０６までに新しい刷版のセットを完了できない場合がある。また、オペレータによってあらかじめ設定された時期ｔ０７までに刷版の交換を完了できない場合がある。
【００６５】
また、印刷準備には、版替ジョブＪＢ２１に限られず、例えば、紙通しジョブＪＢ３１が含まれる場合がある。例えば、第１印刷ジョブＪＢ１１と版替ジョブＪＢ２１とで、ウェブＷの折り方が異なる場合、印刷機２００は、版替ジョブＪＢ２１で図１に示す折機２７０内でのウェブＷの走行経路が変更される必要がある。
【００６６】
紙通しジョブＪＢ３１は、時期ｔ０５で印刷機２００の運転速度が０になってから、時期ｔ０８で第２印刷ジョブＪＢ１２が開始されるまでの間に完了される必要がある。しかしながら、紙通しジョブＪＢ３１は、オペレータによる手作業によって実行されるため、紙通しジョブＪＢ３１が完了するまでに要する時間が変化しやすい。さらに、紙通しジョブＪＢ３１は、作業を実行するオペレータの熟練度によっても要する時間が変化しやすい。
【００６７】
例えば、折機２７０内のウェブＷの走行経路を変更するオペレータの熟練度が高いほど、紙通しジョブＪＢ３１に要する時間は短くなる。しかしながら、折機２７０内のウェブＷの走行経路を変更する作業は、比較的難しい作業であるため、オペレータの熟練度が低くなるほどあらかじめ設定された時期ｔ０８までに作業が完了しないおそれが増加する。
【００６８】
なお、印刷機２００によっては、折機２７０を複数備える場合がある。この場合、時期ｔ０５から時期ｔ０８までの間に、折機２７０が切り替えられる。このような場合であっても、紙通しジョブＪＢ３１で、オペレータは、手作業によって第２印刷ジョブＪＢ１２で使用される折機２７０にウェブＷを通す必要がある。
【００６９】
また、印刷準備には、版替ジョブＪＢ２１や紙通しジョブＪＢ３１に限られず、例えば、洗浄ジョブＪＢ４１が含まれる場合がある。洗浄ジョブＪＢ４１では、例えば、印刷ユニット２３１内のブランケット胴２３４の洗浄が行われる。
【００７０】
洗浄ジョブＪＢ４１は、時期ｔ０５で印刷機２００の運転速度が０になってから、時期ｔ０８で第２印刷ジョブＪＢ１２が開始されるまでの間に完了される必要がある。しかしながら、ブランケット胴２３４の汚れ具合によっては、洗浄作業が長引くおそれがある。
【００７１】
また、印刷準備には、版替ジョブＪＢ２１、紙通しジョブＪＢ３１、洗浄ジョブＪＢ４１に限られず、例えば、インキプリセットジョブＪＢ５１が含まれる場合がある。インキプリセットジョブＪＢ５１では、印刷ユニット２３１内のブランケット胴２３４に供給されるインキの供給量が調節される。
【００７２】
具体的には、印刷機２００は、印刷装置２３０の各印刷ユニット２３１に、ブランケット胴２３４に供給するインキの量を調節するインキ供給量調節装置を有する。インキプリセットジョブＪＢ５１では、ブランケット胴２３４に供給すべきインキの量を含んだインキキー情報に基づいて、制御装置２９０が前記インキ供給量調節装置の弁の開度を調節する。インキプリセットジョブＪＢ５１は、時期ｔ０５で印刷機２００の運転速度が０になってから、時期ｔ０８で第２印刷ジョブＪＢ１２が開始されるまでの間に完了される必要がある。
【００７３】
ここで、一般的に、ブランケット胴２３４に供給すべきインキの量を含んだインキキー情報は、印刷機２００の連続運転が開始される前にあらかじめオペレータによって設定されている。しかしながら、印刷機２００の構成によっては、第１印刷ジョブＪＢ１１と第２印刷ジョブＪＢ１２との間に、オペレータが記録媒体を介して制御装置２９０に入力する場合もある。
【００７４】
よって、例えば、オペレータがインキキー情報を記録媒体を介して制御装置２９０に入力する際に手間取った場合や、前記インキ供給量調節装置に不具合が生じた場合は、インキプリセット作業が長引くおそれがある。
【００７５】
このように、第１印刷ジョブＪＢ１１が終了後、第２印刷ジョブＪＢ１２が開始されるまでの間に実行される印刷準備、例えば版替ジョブＪＢ２１、紙通しジョブＪＢ３１、洗浄ジョブＪＢ４１、インキプリセットジョブＪＢ５１は、いずれも要する時間が変化するおそれがある。
【００７６】
ここで、あらかじめ設定された時期までに印刷準備の各ジョブを完了できない場合、従来の印刷機では、現時実行中のジョブが完了する前に次のジョブが開始される。これにより、従来の印刷機では、印刷機の連続運転が中断されて、印刷機が完全に停止する。
【００７７】
このように、印刷準備の各ジョブを、あらかじめ設定された時期までに完了できない場合、従来の印刷機では、オペレータが印刷機の連続運転に含まれる各ジョブの設定を最初からやり直す必要がある。これにより、従来の印刷機は、結果としてオペレータの作業が増大し、印刷に要する時間が増大するおそれがある。
【００７８】
しかしながら、本実施形態の印刷機２００は、あらかじめ設定された時期までに作業を完了できない場合であっても、連続運転を中断することなく連続運転を継続することができる。以下、あらかじめ設定された時期までに作業を完了できない場合であっても、連続運転を中断せずに継続するための構成を説明する。
【００７９】
図３は、一時待機ボタンを示す構成図である。図３に示すように、印刷機２００の制御装置２９０は、一時待機信号生成手段としての一時待機ボタン１１０と電気的に接続される。一時待機ボタン１１０は、例えば、オペレータによって操作部１１１が一度押されると操作部１１１が凹状態を保持し続け、オペレータによって操作部１１１が再度押されると操作部１１１が凸状態に戻る押しボタンである。
【００８０】
ここで、一時待機ボタン１１０は、操作部１１１が凹状態の時、ＯＮとなって一時待機開始信号Ｓ０１を制御装置２９０へ発信する。また、一時待機ボタン１１０は、操作部１１１が凸状態の時、ｏｆｆとなって一時待機終了信号Ｓ０２を制御装置２９０へ発信する。
【００８１】
ここで、一時待機ボタン１１０は、押しボタンに限定されず、例えば、オペレータのレバー操作によって電気回路が切り替わるトグルスイッチでもよい。この場合、前記トグルスイッチは、操作部としての前記レバーの位置が所定の位置にセットされると一時待機開始信号Ｓ０１を制御装置２９０に発信し、前記所定の位置以外の位置に前記レバーがセットされると、制御装置２９０に一時待機終了信号Ｓ０２を発信する。
【００８２】
また、一時待機ボタン１１０は、例えば、オペレータが操作部としての回転部材を回転させることによって電気回路が切り替わるロータリースイッチでもよい。この場合、前記ロータリースイッチは、前記回転部材の位置が所定の位置にセットされると一時待機開始信号Ｓ０１を制御装置２９０に発信し、前記回転部材の位置が所定の位置以外にセットされると制御装置２９０に一時待機終了信号Ｓ０２を発信する。
【００８３】
制御装置２９０は、一時待機ボタン１１０から一時待機開始信号Ｓ０１が入力されると、制御装置２９０に一時待機開始信号Ｓ０１が入力された入力時期以前のジョブが完了するまで前記ジョブを継続する。
【００８４】
また、制御装置２９０は、一時待機開始信号Ｓ０１が入力されると、入力時期の直後のジョブを開始せずに待機する。なお、入力時期の直後のジョブとは、入力時期よりも後のジョブのうち、入力時期に最も時期が近いジョブである。以下に、一時待機ボタン１１０が押されて一時待機開始信号Ｓ０１が発信された入力時期別に、継続するジョブと、開始せずに待機するジョブとを説明する。
【００８５】
図２に示す時期ｔ０１から時期ｔ０４の間、つまり、印刷機２００が第１印刷ジョブＪＢ１１を実行中に一時待機ボタン１１０が押された場合、制御装置２９０は、第１印刷ジョブＪＢ１１を継続し、印刷機２００に第１印刷ジョブＪＢ１１を完了させる。印刷機２００による第１印刷ジョブＪＢ１１が完了すると、一時待機開始信号Ｓ０１が入力されてから一時待機終了信号Ｓ０２が入力されるまでの間、制御装置２９０は、紙通しジョブＪＢ３１または洗浄ジョブＪＢ４１またはインキプリセットジョブＪＢ５１を開始せずに待機する。
【００８６】
また、時期ｔ０４から時期ｔ０５の間に一時待機ボタン１１０が押された場合、制御装置２９０は、一時待機開始信号Ｓ０１が入力されてから一時待機終了信号Ｓ０２が入力されるまでの間、紙通しジョブＪＢ３１または洗浄ジョブＪＢ４１またはインキプリセットジョブＪＢ５１を開始せずに待機する。なお、紙通しジョブＪＢ３１または洗浄ジョブＪＢ４１またはインキプリセットジョブＪＢ５１があらかじめ設定されていない場合に、時期ｔ０５よりも前に一時待機ボタン１１０が押されると、制御装置２９０は、一時待機開始信号Ｓ０１が入力されてから一時待機終了信号Ｓ０２が入力されるまでの間、版替ジョブＪＢ２１を開始せずに待機する。
【００８７】
時期ｔ０５から時期ｔ０６の間に一時待機ボタン１１０が押された場合、制御装置２９０は、一時待機開始信号Ｓ０１が入力されてから一時待機終了信号Ｓ０２が入力されるまでの間、版替ジョブＪＢ２１を開始せずに待機する。この時、紙通しジョブＪＢ３１または洗浄ジョブＪＢ４１またはインキプリセットジョブＪＢ５１があらかじめ設定されている場合、制御装置２９０は、紙通しジョブＪＢ３１または洗浄ジョブＪＢ４１またはインキプリセットジョブＪＢ５１を継続する。
【００８８】
なお、版替ジョブＪＢ２１があらかじめ設定されていない場合に、時期ｔ０５から時期ｔ０６の間に一時待機ボタン１１０が押されると、制御装置２９０は、一時待機開始信号Ｓ０１が入力されてから一時待機終了信号Ｓ０２が入力されるまでの間、第２印刷ジョブＪＢ１２を開始せずに待機する。この時、紙通しジョブＪＢ３１または洗浄ジョブＪＢ４１またはインキプリセットジョブＪＢ５１が設定されている場合、制御装置２９０は、紙通しジョブＪＢ３１または洗浄ジョブＪＢ４１またはインキプリセットジョブＪＢ５１を継続する。
【００８９】
時期ｔ０６から時期ｔ０７の間に一時待機ボタン１１０が押された場合、制御装置２９０は、一時待機開始信号Ｓ０１が入力されてから一時待機終了信号Ｓ０２が入力されるまでの間、第２印刷ジョブＪＢ１２を開始せずに待機する。この時、制御装置２９０は、版替ジョブＪＢ２１を継続する。また、紙通しジョブＪＢ３１または洗浄ジョブＪＢ４１またはインキプリセットジョブＪＢ５１があらかじめ設定されている場合、制御装置２９０は、紙通しジョブＪＢ３１または洗浄ジョブＪＢ４１またはインキプリセットジョブＪＢ５１を継続する。
【００９０】
時期ｔ０７から時期ｔ０８の間に一時待機ボタン１１０が押された場合、制御装置２９０は、一時待機開始信号Ｓ０１が入力されてから一時待機終了信号Ｓ０２が入力されるまでの間、第２印刷ジョブＪＢ１２を開始せずに待機する。この時、紙通しジョブＪＢ３１または洗浄ジョブＪＢ４１またはインキプリセットジョブＪＢ５１があらかじめ設定されている場合、制御装置２９０は、紙通しジョブＪＢ３１または洗浄ジョブＪＢ４１またはインキプリセットジョブＪＢ５１を継続する。
【００９１】
このように、制御装置２９０は、一時待機ボタン１１０が押されると、制御装置２９０に一時待機開始信号Ｓ０１が入力された入力時期以前のジョブが完了するまで前記ジョブを継続する。ここで、仮に、一時待機開始信号Ｓ０１が制御装置２９０に入力されたと同時に現在実行中のジョブが停止されると、印刷機２００は、ジョブの途中で運転が停止されることとなる。これは、印刷機２００が緊急停止される場合と同様の処理であり、この場合、印刷機２００は、連続運転を継続できない。
【００９２】
また、印刷機２００は、一時待機開始信号Ｓ０１が入力されてから一時待機終了信号Ｓ０２が入力されるまでの間、一時待機ボタン１１０が押されて一時待機開始信号Ｓ０１が発信された時期以降のジョブの中で最も近いジョブを開始せずに待機する。そして、一時待機ボタン１１０がオペレータによって再度押され、一時待機終了信号Ｓ０２が入力されると、制御装置２９０は、次のジョブを開始する。
【００９３】
上記構成により、例えば、あらかじめ設定された時期までに現在実行中のジョブの作業を完了できない場合であっても、オペレータが一時待機ボタン１１０を押すことで、印刷機２００は、一時待機開始信号Ｓ０１が制御装置２９０に入力される。これにより、印刷機２００は、次のジョブを開始しない。さらに、現在実行中の作業が完了し、オペレータが再度一時待機ボタン１１０を押すと、一時待機終了信号Ｓ０２が制御装置２９０に入力される。これにより、印刷機２００は、次のジョブを開始する。
【００９４】
このように、印刷機２００は、あらかじめ設定された時期までに現在実行中のジョブの作業を完了できない場合であっても、現在実行中のジョブが未完了であるのにも関わらず次のジョブが開始されない。これにより、印刷機２００は、連続運転が中断されずに連続運転を継続できる。
【００９５】
なお、一時待機信号生成手段は一時待機ボタン１１０に限定されず、印刷機２００は、一時待機ボタン１１０以外に複数の一時待機信号生成手段を組み合わせて備えてもよい。以下、一時待機ボタン１１０以外の一時待機信号生成手段の例を説明する。
【００９６】
図４は、版交換装置を模式的に示す斜視図である。版交換装置２３２は、図４に示すように、回動テーブル２３２ａと、回動軸２３２ｂと、カセットＦＬとを含んで構成される。回動テーブル２３２ａは、カセットＦＬに対して回動軸２３２ｂを軸に回動できるように、カセットＦＬに支持される。
【００９７】
版交換装置２３２は、刷版を交換する際、刷版がセットされる回動テーブル２３２ａが回動軸２３２ｂを軸にカセットＦＬに対して回動する。ここで、版交換装置２３２は、一時待機信号生成手段としてのテーブル位置センサ１２０が取り付けられる。具体的には、テーブル位置センサ１２０は、例えば、カセットＦＬの回動軸２３２ｂから離れた位置に配置される。
【００９８】
テーブル位置センサ１２０は、カセットＦＬに対する回動テーブル２３２ａの位置を検出する。テーブル位置センサ１２０は、制御装置２９０と電気的に接続され、制御装置２９０に一時待機開始信号Ｓ０１及び一時待機終了信号Ｓ０２を発信する。具体的には、テーブル位置センサ１２０は、例えば、図４に示すように、回動テーブル２３２ａがカセットＦＬに対して角度を有する位置にセットされている間、つまり、版交換装置２３２が刷版を交換中、制御装置２９０に一時待機開始信号Ｓ０１を発信する。
【００９９】
これにより、印刷機２００は、オペレータが図３に示す一時待機ボタン１１０を押さなくても、版交換装置２３２による刷版の交換が完了して回動テーブル２３２ａがカセットＦＬに対して略平行になるまで、制御装置２９０に一時待機開始信号Ｓ０１が入力される。
【０１００】
よって、オペレータが一時待機ボタン１１０を押さなくても、版交換装置２３２による刷版の交換が完了して制御装置２９０に一時待機終了信号Ｓ０２が入力されるまでは、印刷機２００は次のジョブを実行しない。これにより、印刷機２００は、オペレータによる作業を低減できると共に、あらかじめ設定された時期までに現在実行中のジョブの作業が間に合わずに連続運転が中断されるおそれを抑制できる。
【０１０１】
ここで、回動テーブル２３２ａは、図１に示す印刷ユニット２３１の胴群を覆うカバーとしても機能する。よって、例えば、洗浄ジョブＪＢ４１でブランケット胴２３４を洗浄する間、回動テーブル２３２ａは、カセットＦＬに対して角度を有する位置にセットされている。
【０１０２】
これにより、印刷機２００は、オペレータが図３に示す一時待機ボタン１１０を押さなくても、ブランケット胴の洗浄が完了して回動テーブル２３２ａがカセットＦＬに対して略平行になるまで、制御装置２９０に一時待機開始信号Ｓ０１を発信する。
【０１０３】
よって、オペレータが一時待機ボタン１１０を押さなくても、ブランケット胴２３４の洗浄が完了して制御装置２９０に一時待機終了信号Ｓ０２が入力されるまでは、印刷機２００は次のジョブを実行しない。これにより、印刷機２００は、オペレータによる作業を低減できると共に、あらかじめ設定された時期までに現在実行中のジョブの作業が間に合わずに連続運転が中断されるおそれを抑制できる。
【０１０４】
さらに、印刷機２００は、印刷機２００が有する扉やカバーにテーブル位置センサ１２０と同様のセンサが複数配置されてもよい。この場合、前記センサは、制御装置２９０と電気的に接続され、前記扉が開いている場合や、前記カバーが取り外されている場合に、制御装置２９０に一時待機開始信号Ｓ０１を発信する。
【０１０５】
これにより、前記扉が開いている場合や前記カバーが取り外されている場合、印刷機２００は次のジョブを実行しない。よって、印刷機２００は、オペレータによる作業を低減できると共に、本来印刷機２００の運転中は閉められている必要がある扉が開いたまま印刷機２００が運転されるおそれや、本来印刷機２００の運転中は取り付けられている必要があるカバーが取り外されたまま印刷機２００が運転されるおそれを抑制できる。
【０１０６】
図５は、オペレータが操作する操作パネルを示す模式図である。次に、図５を用いて、一時待機ボタン１１０やテーブル位置センサ１２０とは別の一時待機信号生成手段を説明する。操作パネル３００は、制御装置２９０と電気的に接続される。
【０１０７】
操作パネル３００は、設定ボタン３１０と、一時待機ボタン３２０と、一時待機信号生成手段としての割込ボタン３３０と、詳細表示部３４０とを備える。なお、操作パネル３００は、例えば、情報を表示する表示部と、オペレータにより操作を受け付ける操作部とを兼ねるタッチパネルである。このように、一時待機信号生成手段のスイッチには、接点を有する機械式のボタンに限定されず、タッチパネルのような電気式のスイッチも含まれる。
【０１０８】
設定ボタン３１０は、第１印刷ジョブＪＢ１１よりも以前に、あらかじめオペレータによって設定されるジョブの設定を受け付けるボタンである。一時待機ボタン３２０は、図３に示す一時待機ボタン１１０と同等の機能を有する。詳細表示部３４０は、印刷機２００が実行するジョブの順番や、ジョブの内容などを表示する。
【０１０９】
割込ボタン３３０は、オペレータによるジョブの割込みを受け付けるボタンである。例えば、印刷機２００が第１ジョブと第２ジョブとを連続運転しているとする。印刷機２００は、あらかじめ設定された予定では、第１ジョブの完了後に第２ジョブを開始する。ここで、第１ジョブや第２ジョブよりも優先して実行すべき割込みジョブが生じる場合がある。このような場合、オペレータは、割込ボタン３３０を押して印刷機２００が現在実行中の第１ジョブの後に、新規な割込みジョブを設定する。
【０１１０】
この場合、印刷機２００は、割込ボタン３３０が押された場合も、一時待機ボタン３２０が押された場合と同様に一時待機開始信号Ｓ０１を制御装置２９０に発信する。これにより、印刷機２００は、オペレータが割込みジョブの設定をする間、次のジョブを実行しない。よって、オペレータは、時間の経過を気にせず、割込ませるジョブを設定できる。
【０１１１】
ここで、第２ジョブの開始時期よりも前にオペレータによって新たな割込みジョブが設定された場合、制御装置２９０は、第１ジョブが完了するまで継続する。そして、前記割込みジョブが完了すると、制御装置２９０は、第２ジョブを開始する。
【０１１２】
これにより、割込みジョブが新たに設定された場合であっても、割込みジョブの完了後、印刷機２００は、仮に割込みジョブが設定されない場合に次に実行する予定だった第２ジョブの直前に復帰して連続運転を再開できる。このようにして、印刷機２００は、連続運転が中断されるおそれを抑制できる。
【０１１３】
次に、一時待機ボタン１１０やテーブル位置センサ１２０、割込ボタン３３０とは別の一時待機信号生成手段を説明する。一般的に、オペレータが操作パネル３００を操作する順序は、印刷機２００が現在実行中のジョブによって規則性がある。よって、印刷機２００は、オペレータが決まった順序通りに操作パネル３００を操作しないと、一時待機信号生成手段としての操作パネル３００が、一時待機開始信号Ｓ０１を制御装置２９０に発信する。
【０１１４】
これにより、オペレータがあらかじめ決められた順序とは異なる、誤った順序で操作パネル３００を操作した場合、印刷機２００は、次のジョブを実行しない。これにより、印刷機２００は、オペレータが誤った手順で操作パネル３００を操作するおそれを抑制できる。ここで、仮にオペレータが誤った手順で操作パネル３００を操作すると、印刷機２００の連続運転が中断されるおそれがある。よって、印刷機２００は、結果として、印刷機２００の連続運転が中断されるおそれを抑制できる。
【０１１５】
ここで、印刷機２００は、上述した複数の一時待機信号生成手段を組み合わせて有すると好ましい。例えば、印刷機２００は、第１の一時待機信号生成手段としての一時待機ボタン１１０と、第２の一時待機信号生成手段としてのテーブル位置センサ１２０との両方を備える。
【０１１６】
この場合、印刷機２００は、刷版の交換中は、一時待機開始信号Ｓ０１が制御装置２９０に自動で入力される。さらに、オペレータは、一時待機ボタン１１０を操作して任意な時期に一時待機開始信号Ｓ０１を制御装置２９０に入力することもできる。
【０１１７】
図６は、制御装置が実行する手順を示すフローチャートである。次に、図６を用いて、制御装置２９０が実際に実行する手順の一例を説明する。ステップＳＴ１０１で、制御装置２９０は、図２に示す第１印刷ジョブＪＢ１１が開始されるまで、第１印刷ジョブＪＢ１１が開始されたか否かの判断を続ける（ステップＳＴ１０１、Ｎｏ）。
【０１１８】
第１印刷ジョブＪＢ１１が開始されると（ステップＳＴ１０１、Ｙｅｓ）、ステップＳＴ１０２で、制御装置２９０は、試し刷りによる色合いが所望の色合いとなり、また「折」、「裁断」、「見当」の調節が完了して本刷りしてもよいと判断されるまで、本刷りしてもよいか否かの判断を続ける（ステップＳＴ１０２、Ｎｏ）。
【０１１９】
本刷りが開始されると（ステップＳＴ１０２、Ｙｅｓ）、ステップＳＴ１０３で、制御装置２９０は、折丁の正紙部数が目標数に到達したと判断されるまで、折丁の正紙部数が目標数に到達したか否かの判断を続ける（ステップＳＴ１０３、Ｎｏ）。折丁の正紙部数が目標数に到達したと判断されると（ステップＳＴ１０３、Ｙｅｓ）、ステップＳＴ１０４で、印刷機２００は、図２に示す時期ｔ０４で第１印刷ジョブＪＢ１１を終了する。
【０１２０】
次に、ステップＳＴ１０５で、制御装置２９０は、第２印刷ジョブＪＢ１２が設定されているか否かを判断する。第２印刷ジョブＪＢ１２が設定されていない場合（ステップＳＴ１０５、Ｎｏ）、印刷機２００は、印刷を終了する。
【０１２１】
第２印刷ジョブＪＢ１２が設定されている場合（ステップＳＴ１０５、Ｙｅｓ）、ステップＳＴ１０６で、制御装置２９０は、制御装置２９０へ一時待機開始信号Ｓ０１の入力があったか否かを判定する。一時待機開始信号Ｓ０１の入力があった場合（ステップＳＴ１０６、Ｙｅｓ）、印刷機２００は、ステップＳＴ１０７で、一時待機終了信号Ｓ０２があるまで待機する（ステップＳＴ１０７、Ｎｏ）。
【０１２２】
ステップＳＴ１０６で一時待機開始信号Ｓ０１の入力がなかったと判断される場合（ステップＳＴ１０６、Ｎｏ）、または、ステップＳＴ１０７で一時待機終了信号Ｓ０２の入力があった場合（ステップＳＴ１０７、Ｙｅｓ）、ステップＳＴ１０８で、印刷機２００のオペレータは、紙通しジョブＪＢ３１を開始する。または、ステップＳＴ１０８で、印刷機２００は、洗浄ジョブＪＢ４１を開始する。または、ステップＳＴ１０８で、印刷機２００は、インキプリセットジョブＪＢ５１を開始する。なお、紙通しジョブＪＢ３１があらかじめ設定されていない場合、制御装置２９０は、ステップＳＴ１０８での紙通しジョブＪＢ３１の開始を省略する。
【０１２３】
また、洗浄ジョブＪＢ４１があらかじめ設定されていない場合、制御装置２９０は、ステップＳＴ１０８での洗浄ジョブＪＢ４１の開始を省略する。また、インキプリセットジョブＪＢ５１があらかじめ設定されていない場合、制御装置２９０は、ステップＳＴ１０８でのインキプリセットジョブＪＢ５１の開始を省略する。ここで、紙通しジョブＪＢ３１、洗浄ジョブＪＢ４１、インキプリセットジョブＪＢ５１のすべてがあらかじめ設定されていない場合、制御装置２９０は、ステップＳＴ１０６からステップＳＴ１０８の手順を省略する。
【０１２４】
次に、ステップＳＴ１０９で、制御装置２９０は、制御装置２９０へ一時待機開始信号Ｓ０１の入力があったか否かを判定する。一時待機開始信号Ｓ０１の入力があった場合（ステップＳＴ１０９、Ｙｅｓ）、印刷機２００は、ステップＳＴ１１０で、一時待機終了信号Ｓ０２があるまで待機する（ステップＳＴ１１０、Ｎｏ）。ここで制御装置２９０へ入力される一時待機開始信号Ｓ０１は、図２に示す時期ｔ０５から時期ｔ０６の間で一時待機信号生成手段が制御装置２９０に発信した一時待機開始信号Ｓ０１である。
【０１２５】
ステップＳＴ１０９で一時待機開始信号Ｓ０１の入力がなかったと判断される場合（ステップＳＴ１０９、Ｎｏ）、または、ステップＳＴ１１０で一時待機終了信号Ｓ０２の入力があった場合（ステップＳＴ１１０、Ｙｅｓ）、ステップＳＴ１１１で、印刷機２００は、版替ジョブＪＢ２１を開始する。なお、紙通しジョブＪＢ３１が設定されている場合、オペレータは時期ｔ０８までに紙通しジョブＪＢ３１を継続して実行する。また、洗浄ジョブＪＢ４１が設定されている場合、印刷機２００は、時期ｔ０８までに洗浄ジョブＪＢ４１を継続して実行する。また、インキプリセットジョブＪＢ５１が設定されている場合、印刷機２００は、時期ｔ０８までにインキプリセットジョブＪＢ５１を継続して実行する。
【０１２６】
次に、ステップＳＴ１１２で、制御装置２９０は、制御装置２９０へ一時待機開始信号Ｓ０１の入力があったか否かを判定する。一時待機開始信号Ｓ０１の入力があった場合（ステップＳＴ１１２、Ｙｅｓ）、印刷機２００は、ステップＳＴ１１３で、一時待機終了信号Ｓ０２があるまで待機する（ステップＳＴ１１３、Ｎｏ）。ここで制御装置２９０へ入力される一時待機開始信号Ｓ０１は、図２に示す時期ｔ０６から時期ｔ０８の間で一時待機信号生成手段が制御装置２９０に発信した一時待機開始信号Ｓ０１である。
【０１２７】
ステップＳＴ１１２で一時待機開始信号Ｓ０１の入力がなかったと判断される場合（ステップＳＴ１１２、Ｎｏ）、または、ステップＳＴ１１３で一時待機終了信号Ｓ０２の入力があった場合（ステップＳＴ１１３、Ｙｅｓ）、ステップＳＴ１１４で、印刷機２００は、第２印刷ジョブＪＢ１２を開始する。以上が、制御装置２９０が実行する手順の一例である。ここで、第２印刷ジョブＪＢ１２以降に、第３印刷ジョブが設定される場合、制御装置２９０が実行する手順はステップＳＴ１０２以降の手順と同様である。
【０１２８】
上記手順を制御装置２９０が実行することにより、印刷機２００は、制御装置２９０に一時待機開始信号Ｓ０１が入力された入力時期以前のジョブが完了するまで、前記ジョブを継続する。また、印刷機２００は、一時待機終了信号Ｓ０２が制御装置２９０に入力されるまで、次のジョブを開始しない。
【０１２９】
このようにして、印刷機２００は、あらかじめ設定された時期までに現在実行中のジョブの作業を完了できない場合であっても、次のジョブを実行せずに待機する。よって、印刷機２００は、現在実行中のジョブが未完了であるのにも関わらず次のジョブが開始されない。これにより、印刷機２００は、連続運転が中断されるおそれを抑制できる。
【０１３０】
ここで、従来、印刷機にはサイドシャフトを有する印刷機が一般的である。このような印刷機の場合、各印刷ユニットの胴と共に回転するギアが、印刷ユニット毎に配置される。このような印刷機は、前記サイドシャフトによって、各印刷ユニットの各ギア同士が連結される。
【０１３１】
本実施形態の印刷機２００は、このようにサイドシャフトを有する印刷機でもよいが、例えば、シャフトレス印刷機であってもよい。シャフトレス印刷機は、個々の印刷ユニットを別々の駆動源であるモータで駆動し、制御装置がこれらのモータの回転速度を同調させる。これにより、印刷機２００は、図１に示す各印刷ユニット２３１がサイドシャフトで連結される必要がないため、各印刷ユニット２３１の配置に自由度が増す。
【０１３２】
また、印刷機２００がシャフトレス印刷機である場合、それぞれの印刷ユニット２３１が異なる運転速度を実現できる。また、印刷機２００は、折機２７０を駆動するモータと、印刷ユニット２３１を駆動するモータとが別であるため、例えば、図２に示す版替ジョブＪＢ２１と、折機２７０内でのウェブＷの走行経路の切替などの紙通しジョブＪＢ３１を並行して行うことができる。
【０１３３】
これにより、印刷機２００がシャフトレス印刷機の場合、並行して同時に実行できるジョブの数が増えるため、印刷準備に必要な時間が低減され、本刷りに至るまでの時間を短縮できる。
【０１３４】
また、印刷機２００は、損紙低減機能、いわゆるエキスパート機能を備えるとさらに良好である。例えば、印刷機２００は、洗浄ジョブＪＢ４１でブランケット胴２３４が洗浄されると、ブランケット胴２３４の側周部に付着した洗浄液を、ブランケット胴２３４から取り除く必要がある。
【０１３５】
ここで、印刷機２００がエキスパート機能を備える場合、ブランケット胴２３４の回転各速度とウェブＷの走行速度とが別個に設定される。これにより、印刷機２００は、ウェブＷの走行速度を低下させ、ブランケット胴２３４の回転速度を上昇させることができる。
【０１３６】
これにより、印刷機２００は、ブランケット胴２３４の回転各速度を上昇させてブランケット胴２３４に働く遠心力を増大させると共に、ウェブＷの走行速度を低下さあせてブランケット胴２３４の側周部に付着した洗浄液を取り除く際の損紙を低減できる。
【０１３７】
このように、印刷機２００は、印刷機の連続運転が中断されるおそれを抑制できる効果に加えて、個々の装置にそれぞれ独立した駆動源を備えることにより、本刷りに至るまでの時間の短縮や、損紙を低減できる。
【産業上の利用可能性】
【０１３８】
以上のように、本発明にかかる印刷機は、複数のジョブをあらかじめ設定された順序で連続運転する印刷機に有用であり、特に、連続運転が中断されるおそれを抑制することに適している。
【図面の簡単な説明】
【０１３９】
【図１】印刷機の全体を示す構成図である。
【図２】印刷機が連続運転する際の動作を示すタイミングチャートである。
【図３】一時待機ボタンを示す構成図である。
【図４】版交換装置を模式的に示す斜視図である。
【図５】オペレータが操作する操作パネルを示す模式図である。
【図６】制御装置が実行する手順を示すフローチャートである。
【符号の説明】
【０１４０】
１１０  一時待機ボタン
１１１  操作部
１２０  テーブル位置センサ
２００  印刷機
２１０  給紙装置
２１１  紙継装置
２１２  支持体
２２０  インフィード装置
２３０  印刷装置
２３１  印刷ユニット
２３２  版交換装置
２３２ａ  回動テーブル
２３２ｂ  回動軸
２３３  版胴
２３４  ブランケット胴
２４０  乾燥装置
２５０  冷却装置
２６０  ウェブパス装置
２７０  折機
２８０  排紙コンベア
２９０  制御装置
３００  操作パネル
３１０  設定ボタン
３２０  一時待機ボタン
３３０  割込ボタン
３４０  詳細表示部
ＦＬ  カセット
【図１】
2010082951.tif 000003
【図２】
2010082951.tif 000004
【図３】
2010082951.tif 000005
【図４】
2010082951.tif 000006
【図５】
2010082951.tif 000007
【図６】
2010082951.tif 000008